(57)【要約】【課題】布団カバーに対する襟元カバーの着脱が、誰でも簡単確実にでき、しかも、使用者で寝ている間に襟元カバーを捲って外したりすることのない取り扱いに便利な掛け布団用襟元カバー構造を提供する。【解決手段】布団カバー１の襟元部１ａが挿入される袋状の襟元カバー２を形成し、襟元カバー２の上側縁部２ｂとこれに対応する布団カバー１の表布３間、また、襟元カバー２の下側縁部２ａとこれに対応する布団カバー１の裏布４間に、それぞれ係脱自在な留め具６を装着する。【選択図】　　　図１
2004121796.tif 000002
【特許請求の範囲】
【請求項１】
掛け布団に掛ける布団カバーに組み合わせられる襟元カバーであって、掛け布団に布団カバーを掛けた状態で、布団ともども布団カバーの襟元部が挿入されるように襟元カバーを袋状に形成し、該襟元カバーの裏布面積を表布面積より一回り大きくして襟元カバーの上側縁部と下側縁部が布団カバーに掛かる位置を、布団カバーの長手方向にずらし、襟元カバーの上側縁部とこれに対応する布団カバーの表布間、また、襟元カバーの下側縁部とこれに対応する布団カバーの裏布間に、それぞれ係脱自在な留め具を装着したことを特徴とする掛け布団用襟元カバー構造。
【発明の詳細な説明】
【発明の属する技術分野】
本発明は、寝具とされる掛け布団に掛ける布団カバーに組み合わせられる襟元カバー構造に関するものであり、特に、布団カバーに対して簡単に着脱ができる掛け布団用襟元カバー構造に関するものである。
【従来の技術】
寝具とされる布団は、人間生活を営む上で必要不可欠のものであり、従来より、各種の布団が提案されている。これらの布団は、敷き布団と掛け布団に大別され、これらの布団の大半は、布地からなる表布と裏布を重合し、両布の四周を縫合して袋状にし、この中に布団綿又は羽毛を充填した綿入り布団や羽毛布団が多く使用されている。
このような綿入り又は羽毛入りの掛け布団は、使用者の体の上に掛けて布団の襟元部（上縁部）が使用者の首部から肩部の線に添って当たり、布団の襟元部は、使用者の肌と直接的に触れ合う機会が多く汚れ易いので、従来より、掛け布団には、その裏布部から表布部の四周辺部を覆う布団カバーを被せたり、適宜大きさの布地からなる襟元カバーを、布団の襟元部や布団カバーに縫い付けておき、掛け布団からは、汚れたカバーだけを外して洗濯するようにしている。
【発明が解決しようとする課題】
ところが、上記するように、掛け布団に布団カバーだけが掛けられている場合は、その襟元部の一部の汚れをカバー全体を洗濯して落とすようになるため、洗濯や乾燥、この後のカバーの取り扱い等が大掛かりになり、また、使用する洗剤や洗濯用水の使用量も多くなる。この点、適宜大きさの布地からなる襟元カバーは、布団カバーに比べると大きさ（面積）が格段に小さくなるので、洗濯や乾燥、その後の取り扱い等は簡単になる。しかし、この襟元カバーは、掛け布団の襟元部や布団カバーに対して手縫いで仮付け的に縫い付けているため、この襟元カバーだけを取り外したり、縫い付けたりするのに手間が掛かる点で面倒なものである。また、襟元カバーの取り付けで、下手に縫い付けられたりすると、見栄えを悪くして視覚的満足が得られないことにもなる。
そこで、本発明は、上記するような、従来の布団カバーや、布団の襟元部に縫い付けて使用する襟元カバーの有する問題点を解決するためになされたもので、布団カバーに襟元カバーを組み合わせ、布団カバーに対する襟元カバーの着脱が、誰でも簡単確実にでき、しかも、使用者で寝ている間に襟元カバーを捲って外したりすることのない取り扱いに便利な掛け布団用襟元カバー構造を提供することを目的としたものである。
【課題を解決するための手段】
上記目的を達成するために、本発明に係る掛け布団用襟元カバー構造は、掛け布団に掛ける布団カバーに組み合わせられる襟元カバーであって、掛け布団に布団カバーを掛けた状態で、布団ともども布団カバーの襟元部が挿入されるように襟元カバーを袋状に形成し、該襟元カバーの裏布面積を表布面積より一回り大きくして襟元カバーの上側縁部と下側縁部が布団カバーに掛かる位置を、布団カバーの長手方向にずらし、襟元カバーの上側縁部とこれに対応する布団カバーの表布間、また、襟元カバーの下側縁部とこれに対応する布団カバーの裏布間に、それぞれ係脱自在な留め具を装着したことを特徴とする。
ここで、本発明が適用される掛け布団は、普通の布地からなる表布と裏布を重合して袋状に縫合し、この中に布団綿又は羽毛等の緩衝材を充填してなるごくありふれた一般的な掛け布団である。また、留め具としては、市販のものが使用され、ボタン止め、接着布（ベルベット式ファスナー）止め、また、鳩目等の公知の留め具を使用することができるが、襟元カバーや布団カバーとの適合性を配慮して接着布を使用するのが好ましい。
このように構成された本発明に係る掛け布団用襟元カバー構造によれば、布団カバーに対して留め具によって襟元カバーの着脱ができるので、布団カバーへの襟元カバーの着脱が誰でも簡単確実にできて取り扱いを便利にする。
また、襟元カバーの上側縁部とこれに対応する布団カバーの表布間、また、襟元カバーの下側縁部とこれに対応する布団カバーの裏布間に装着する接着布として、適宜大きさの接着布を適宜の間隔を採って複数個を装着しておくと、襟元カバーは、その上側縁部及び下側縁部ともども布団カバーとの一体化が図られ、取り扱い面から不用意に襟元カバーが捲られることはなくなる。
また、襟元カバーの裏布面積を表布面積より一回り大きくして、襟元カバーの下側縁部が布団カバーに掛かる位置を、布団カバーの中央部の方にずらすことによっては、使用者の体に直接的に触れる布団カバーの裏布側で、使用者の手先が襟元カバーの下側縁部に掛かり難くなり、寝ている間に使用者の手先がいつの間にか布団カバーと襟元カバーとの間に入り込んで襟元カバーを捲ってしまうなことはなくなる。
また、襟元カバーに装着される留め具は、襟元カバーの端縁から適宜の間隔を採ってカバー内側に装着されるので、使用者が襟元カバーの縁部に触れてカバー縁部が多少なりとも捲れることがあっても、この捲れたカバーの縁部が邪魔して留め具に直接に触れ難くなり、寝ている間に留め具（硬い物）に触れて不快感を生じるようなこともない。
また、布団カバー上に襟元カバーを被せた部分、すなわち、掛け布団の襟元部は、使用者にとっては寝ている間の最も身近な所となるので、襟元カバー内に香料類を入れておけば、発散する香りを楽しみながらさわやかな気分で眠りにつくことができる。
なお、上記する布団カバーは、掛け布団に掛けた状態で実質的に布団自体の表布及び裏布を二重構造にした形態を採るので、本発明に係る襟元カバーは、掛け布団に対して直接的に適用することも可能である。従って、本発明における布団カバーの表布及び裏布は、掛け布団自体の表布及び裏布も含むものである。
【発明の実施の形態】
以下、本発明の実施の形態を図面に基づいて説明する。
図１は本発明に係る襟元カバーを布団カバーに取り付けた状態で一部を断面で示す掛け布団全体の斜視図、図２は襟元カバーの斜視図、図３は襟元カバーの取り付け構成を示す概略図である。
各図において、１は布団カバー、２は布団カバーに組み合わせた襟元カバーを示す。
布団カバー１は、普通の布地からなる表布３と裏布４を縫合してなるもので、掛け布団５に掛けた状態で、裏布４が布団５の裏布部を覆い、表布３が布団５の四周辺部を覆うようにしたもので、布団カバー１の基本構成は公知のものである。
襟元カバー２は、適宜深さで袋状に形成し、布団カバー１の襟元部１ａを挿入してこの上に被さるようにしたもので、この襟元カバー２は、その裏布面積を表布面積より一回り大きくし、襟元カバー２の上側縁部２ｂと下側縁部２ａが布団カバー１に掛かる位置を、布団カバー１の長手方向にずらし、襟元カバー２の上側縁部２ｂとこれに対応する布団カバー１の表布３間、また、襟元カバー２の下側縁部２ａとこれに対応する布団カバー１の裏布４間に、それぞれ着脱自在な接着布６（留め具）を装着している。実施の形態では、適宜大きさの接着布６を、襟元カバー２の端縁から適宜の間隔を採ってカバー内側に位置するところに複数個を装着している。
こうして、襟元カバー２は、その上側縁部２ｂ及び下側縁部２ａともども布団カバー１との一体化が図られ、取り扱い面から不用意に襟元カバー２が捲られることはないようにしている。
また、襟元カバー２は、その裏布面積を表布面積より一回り大きくしたことで、襟元カバー２の下側縁部２ａが布団カバー１に掛かる位置を布団カバー１の中央部の方に寄るので、寝ている間に使用者の手先が襟元カバー２の下側縁部２ａに掛かり難くなり、使用者の手先がいつの間にか布団カバー１と襟元カバー２との間に入り込んで襟元カバー２が不用意に捲られることはなくなる。
また、布団カバー１の裏布４側で使用者が襟元カバー２の下側縁部２ａ又は上側縁部２ｂに触れた時に、カバー縁部が捲れることがあっても、この捲れたカバー縁部が邪魔して使用者の肌が直接に接着布６に触れて不快感を生じることはない。
【発明の効果】
本発明は、以上説明したような形態で実施され、本発明によれば、掛け布団に掛ける布団カバーへの襟元カバーの着脱は、留め具を係脱しで誰でも簡単確実にできる。しかも、襟元カバーは、その裏布面積を表布面積より一回り大きくし、襟元カバーの下側縁部が布団カバーに掛かる位置を布団カバーの中央部の方に寄せているので、使用者が寝ている間に手先が襟元カバーの下側縁部に掛かり難く、不用意に襟元カバーが捲られて外したりすることはない。
また、留め具には使用者が寝ている間に直接的に触れ難くしているので、留め具に触れて不快感を生じるようなこともない。さらに、布団カバーと襟元カバーとの隙間には、香料類を入れておけば、発散する香りを楽しみながらさわやかな気分で眠りにつくことができる。
【図面の簡単な説明】
【図１】本発明に係る襟元カバーを布団カバーに取り付けた状態で一部を断面で示す掛け布団全体の斜視図である。
【図２】本発明に係る襟元カバーの斜視図である。
【図３】本発明に係る襟元カバーの取り付け構成を示す概略図である。
【符号の説明】
１　布団カバー
１ａ　襟元部
２　襟元カバー
２ａ　下側縁部
２ｂ　上側縁部
３　表布
４　裏布
５　掛け布団
６　接着布
【図１】
2004121796.tif 000003
【図２】
2004121796.tif 000004
【図３】
2004121796.tif 000005